(57)【要約】【課題】特別な操作を定義することなく、ズーム投写を最適に行う。【解決手段】外部信号入力部１０２は、画像データを入力する。投写領域特定部１０４は、画像データ内の動きを解析し、動きを検出した領域を投写領域として特定する。表示処理部１０５は、投写領域特定部１０４により特定された投写領域をズームして投写する。【選択図】図１
2012222565.tif 000002
【特許請求の範囲】
【請求項１】
画像データを入力する入力手段と、
前記画像データ内の動きを解析し、動きを検出した領域を投写領域として特定する特定手段と、
前記特定手段により特定された投写領域をズームして投写する投写手段とを有することを特徴とする投写装置。
【請求項２】
前記投写手段は、前記特定手段により一つの投写領域が特定された場合、前記一つの投写領域の表示倍率を当該投写装置のアスペクト比に応じて変更することを特徴とする請求項１に記載の投写装置。
【請求項３】
前記投写手段は、前記特定手段により複数の投写領域が特定され、且つ、一つの画面を表示するモードが選択された場合、前記複数の投写領域のうちの何れか一つの投写領域の表示倍率を当該投写装置のアスペクト比に応じて変更することを特徴とする請求項１に記載の投写装置。
【請求項４】
前記投写手段は、前記特定手段により複数の投写領域が特定され、且つ、複数の画面を表示するモードが選択された場合、前記複数の投写領域の表示倍率を当該投写装置のアスペクト比に応じて変更することを特徴とする請求項１に記載の投写装置。
【請求項５】
ウインドウの座標情報を取得する取得手段を更に有し、
前記投写手段は、前記特定手段により特定された投写領域の表示倍率を、前記投写領域が前記ウインドウ内に収まるようなアスペクト比に変更し、前記投写領域を前記ウインドウ内に投写することを特徴とする請求項１に記載の投写装置。
【請求項６】
画像データを入力する入力ステップと、
前記画像データ内の動きを解析し、動きを検出した領域を投写領域として特定する特定ステップと、
前記特定ステップにより特定された投写領域をズームして投写する投写ステップとを有することを特徴とする投写装置の制御方法。
【請求項７】
画像データを入力する入力ステップと、
前記画像データ内の動きを解析し、動きを検出した領域を投写領域として特定する特定ステップと、
前記特定ステップにより特定された投写領域をズームして投写する投写ステップとをコンピュータに実行させるためのプログラム。
【発明の詳細な説明】
【技術分野】
【０００１】
本発明は、ＰＣ等の情報処理装置において表示される画像をスクリーン等に投写する技術に関するものである。
【背景技術】
【０００２】
近年、パーソナルコンピュータ（以下、ＰＣと称す）の普及に伴い、ＰＣをプロジェクタ等の投写装置と接続し、ＰＣの画面を投写装置にて投写するプレゼンテーションが盛んに行われている。一般的に、プロジェクタ等の投写装置は、ＰＣの画面に表示されている画像と同じ画像を投写する。故に、ＰＣの画面に表示されている画像内に、メニューバー等の本来投写しても意味のない領域が含まれている場合においても、ＰＣの画面に表示されている画像と同じ画像が投写されるため、限られた投写領域を有効に活用しているとは言い難い。
【０００３】
そこで、ＰＣの画面の特定領域のみを投写する技術として、特許文献１に開示される技術が知られている。具体的には、特許文献１に開示される技術は、ＰＣの画面上でマウス操作等により投写領域を選択し、選択された投写領域の座標情報をプロジェクタに送信する。プロジェクタは、ＰＣより通知された座標情報に基づいて投写領域を特定し、投写領域に該当する画像を投写する。
【先行技術文献】
【特許文献】
【０００４】
【特許文献１】特開平１０−６２８６５号公報
【発明の概要】
【発明が解決しようとする課題】
【０００５】
しかしながら、特許文献１に開示される技術は、ある特定領域をズームして投写する際は、ユーザがＰＣ側でズームする領域を選択し、選択された領域の座標情報を投写装置側に通知する。従って、ズームする領域を選択するための特別な操作を定義する必要があり、利便性がよいとは言い難いものであった。
【０００６】
そこで、本発明の目的は、特別な操作を定義することなく、ズーム投写を最適に行うことにある。
【課題を解決するための手段】
【０００７】
本発明の投写装置は、画像データを入力する入力手段と、前記画像データ内の動きを解析し、動きを検出した領域を投写領域として特定する特定手段と、前記特定手段により特定された投写領域をズームして投写する投写手段とを有することを特徴とする。
【発明の効果】
【０００８】
本発明によれば、特別な操作を定義することなく、ズーム投写を最適に行うことが可能となる。
【図面の簡単な説明】
【０００９】
【図１】本発明の第１の実施形態に係る投写装置の機能的な構成を示す図である。
【図２】本発明の第１の実施形態に係る投写装置の処理を示すフローチャートである。
【図３】投写領域特定部が有効投写領域を特定する処理の詳細を示すフローチャートである。
【図４】ステップＳ３０４の処理について具体的に説明するための図である。
【図５】投写領域特定部によって管理される有効投写領域のリストの一例を示す図である。
【図６】ステップＳ２０７において表示レイアウトが決定される際に用いられるダイアログの一例を示す図である。
【図７】ステップＳ２０５〜Ｓ２１０までの処理について具体的に説明するための図である。
【図８】ステップＳ２０５〜Ｓ２１０までの処理について具体的に説明するための図である。
【図９】本発明の第２の実施形態に係る投写装置の機能的な構成を示す図である。
【図１０】本発明の第２の実施形態に係る投写装置の処理を示すフローチャートである。
【図１１】ウインドウ情報の一例を示す図である。
【図１２】ステップＳ１００５〜Ｓ１００７までの処理を具体的に説明するための図である。
【発明を実施するための形態】
【００１０】
以下、本発明を適用した好適な実施形態を、添付図面を参照しながら詳細に説明する。
【００１１】
先ず、本発明の第１の実施形態について説明する。以下に説明する実施形態は、飽くまでも本発明の適用例の一部を示したものであり、本発明の技術的範囲がこれらの実施形態に限定されるものではない。
【００１２】
図１は、本発明の第１の実施形態に係る投写装置の機能的な構成を示す図である。以下では、投写装置の主要部について説明を行うが、当該主要部以外の構成を備えていても勿論構わない。
【００１３】
図１において、１００は情報処理装置であり、ＰＣ等のように画像データと制御データとを出力する装置である。１０１は投写装置であり、プロジェクタ等のように情報処理装置１００から入力した画像データをスクリーンに投写する装置である。１０２は外部信号入力部であり、情報処理装置１００から画像データを入力する。１０３はズーム投写制御部であり、投写装置１０１が有する投写ボタン（不図示）の操作により、ズーム投写モードと通常投写モードとを切り替えるための制御情報を出力する。
【００１４】
１０４は投写領域特定部であり、情報処理装置１００から入力した画像データを解析し、当該画像データ内の有効投写領域を特定するとともに、特定した有効投写領域のリストを管理する。なお、投写領域特定部１０４は、１つの画像データから任意の数の有効投写領域を特定することが可能である。
【００１５】
１０５は表示処理部であり、ズーム投写制御部１０３からの制御情報に従ってズーム投写モード、通常投写モード間でモードを切り替えて、投写領域特定部１０４にて特定された有効投写領域を投写する。１０６は投写装置１０１によって有効投写領域が投写されるスクリーンである。
【００１６】
図２は、第１の実施形態に係る投写装置１０１の処理を示すフローチャートである。以下、図２を参照しながら、第１の実施形態に係る投写装置１０１の処理について説明する。
【００１７】
ステップＳ２０１において、外部信号入力部１０２は、情報処理装置１００から画像データ及びカーソルの座標情報等の各種操作情報を受信する。ステップＳ２０２において、ズーム投写制御部１０３は、投写装置１０１の投写ボタンがＯＮであるかＯＦＦであるかを判定する。投写ボタンがＯＮである場合、処理はステップＳ２０３に移行する。一方、投写ボタンがＯＦＦである場合、処理はステップＳ２１１に移行する。
【００１８】
ステップＳ２０３において、投写領域特定部１０４は画像データの有効投写領域を特定する。ここで、図３を参照しながら、ステップＳ２０３の処理について詳細に説明する。図３は、投写領域特定部１０４が有効投写領域を特定する処理の詳細を示すフローチャートである。
【００１９】
ステップＳ３０１において、投写領域特定部１０４は、情報処理装置１００の画面に表示されている画像データの動きを検出する。具体的には、投写領域特定部１０４は、ユーザの情報処理装置１００側における十字キー操作、スクロールバー操作等を検知することにより、特定のウインドウ内の画像データの動きを検出する。即ち、例えばユーザが情報処理装置１００側で十字キー操作やスクロールバー操作等を行うと、情報処理装置１００からカーソルの座標情報等の各種操作情報が投写装置１０１に通知される。投写装置１０１は、情報処理装置１００から通知された各種操作情報に基づいて、画像データの動きを検知する。その他、情報処理装置１００側から一定時間毎に送信される画像データを投写装置１０１側でメモリ等に蓄積しておき、投写装置１０１が画像データを適宜比較して差分を算出することにより、画像データの動きを検出するようにしてもよい。なお、画像データの動きを検出する方法は、以上の方法に限定されるものではない。
【００２０】
ステップＳ３０２において、投写領域特定部１０４は、不図示のタイマ機能を用いて一定時間をカウントする。ステップＳ３０３において、投写領域特定部１０４は、ステップＳ３０２でカウントした一定時間内に画像データの動きを継続的に検出したか否かを判定する。一定時間内に画像データの動きが継続して検知された場合、処理はステップＳ３０４に移行する。一方、一定時間内に画像データの動きが継続して検知されなかった場合、処理はステップＳ３０６に移行する。ステップＳ３０４において、投写領域特定部１０４は、一定時間内に動きが継続的に検出された領域の画像データを、有効投写領域として決定する。
【００２１】
ここで、図４を参照しながら、ステップＳ３０４の処理について具体的に説明する。図４において、４０１は、図１における情報処理装置１００に相当するものである。４０２は、図１における投写装置１０１に相当するものである。４０３は、図１におけるスクリーン１０６に相当するものである。４０４は、図３におけるステップＳ３０１〜Ｓ３０４により、一定時間内に画像データの動きが継続的に検出され、有効投写領域として特定された領域である。４０５は、スクリーン１０６上に投写された有効投写領域である。４０６は、有効投写領域４０４の始点座標である。ここでは、座標軸を情報処理装置４０１の画面における左上を基点とし、始点座標を（Ｘ１，Ｙ１）とする。なお、座標軸のとり方は、上記の態様に限定されるものではない。４０７は、有効投写領域４０４の終点座標である。上述した始点座標と同様に、座標軸を情報処理装置４０１の画面における左上を基点とし、終点座標を（Ｘ２，Ｙ２）とする。なお、本実施形態では、始点座標４０６及び終点座標４０７によって有効投写領域を特定しているが、有効投写領域の特定方法は、この方法に限定されるものではない。以上のように、ステップＳ３０４においては、投写装置１０１は、有効投写領域の始点座標４０６及び終点座標４０７を用いて有効投写領域を特定する。
【００２２】
図３の説明に戻る。ステップＳ３０５において、投写領域特定部１０４は、有効投写領域決定フラグをＯＮに設定する。ステップＳ３０６において、投写領域特定部１０４は、有効投写領域決定フラグをＯＦＦに設定する。なお、ステップＳ３０５及びＳ３０６で設定される有効投写領域決定フラグは、後に続く処理を区別するためのフラグである。但し、後に続く処理を区別するための方法は、有効投写領域決定フラグを用いた方法に限定されない。以上が図２のステップＳ２０３の詳細説明である。
【００２３】
図２の説明に戻る。ステップＳ２０４において、表示処理部１０５は、有効投写領域決定フラグがＯＮであるかＯＦＦであるかを判定する。有効投写領域決定フラグがＯＮである場合、処理はステップＳ２０５に移行する。一方、有効投写領域決定フラグがＯＦＦである場合、処理はステップＳ２１１に移行する。
【００２４】
ステップＳ２１１において、表示処理部１０５は通常投写モードを実行する。ステップＳ２０５において、表示処理部１０５は有効投写領域の数を判定する。有効投写領域の数が１つである場合、処理はステップＳ２０６に移行する。一方、有効投写領域数が２つ以上である場合、処理はステップＳ２０７に移行する。
【００２５】
ここで、図５を参照しながら、ステップＳ２０５の処理について具体的に説明する。図５は、投写領域特定部１０４によって管理される有効投写領域のリストの一例を示す図である。図５において、行５０１はリスト番号１のデータ、行５０２はリスト番号２のデータを表す。列５０３は有効投写領域の始点Ｘ座標Ｘｓを表し、列５０４は有効投写領域の始点Ｙ座標Ｙｓを表す。列５０５は有効投写領域の終点Ｘ座標Ｘｅを表し、列５０６は有効投写領域の終点Ｙ座標Ｙｅを表す。図５の例では、リストが２つ存在し、１つ目のリストは、始点座標が（Ｘｓ，Ｙｓ）＝（１５０，３００）、終点座標が（Ｘｅ，Ｙｅ）＝（５００，６００）である。一方、２つ目のリストは、始点座標が（Ｘｓ，Ｙｓ）＝（３００，４５０）、終点座標が（Ｘｅ，Ｙｅ）＝（９００，８００）である。
【００２６】
有効投写領域のリストがリセットされるタイミングは、投写装置１０１の電源がＯＦＦされたタイミングでもよいし、投写ボタンがＯＦＦされたタイミング（ズーム投写モードから通常投写モードに切り換えられたタイミング）でもよい。有効投写領域のリストをリセットするタイミングは、特に上記のタイミングに限定されるものではない。なお、図５に示す有効投写領域のリストは飽くまでも一例であり、この態様に限定されるものではない。
【００２７】
ステップＳ２０５において、表示処理部１０５は、投写領域特定部１０４が管理している有効投写領域のリストを参照することにより、有効投写領域の数を判定することができる。図５の例の場合には、有効投写領域の数は２つと判定される。
【００２８】
ステップＳ２０６において、表示処理部１０５は、投写領域特定部１０４にて特定された有効投写領域の表示倍率を、単画面投写用のアスペクト比に応じて変更する。ステップＳ２０７において、表示処理部１０５は、画像データの表示レイアウトを決定する。
【００２９】
ここで、図６を参照しながら、ステップＳ２０７の処理について具体的に説明する。図６は、ステップＳ２０７において表示レイアウトが決定される際に用いられるダイアログの一例を示す図である。
【００３０】
図６において、６０１は、表示レイアウトが決定される際にユーザに対して提示されるダイアログである。ステップＳ２０７においては、先ずダイアログ６０１がユーザに対して提示される。ユーザは、表示レイアウトとして単画面表示を選択する場合、単画面表示ボタン６０２を操作し、表示レイアウトとして複数画面表示を選択する場合、複数画面表示ボタン６０３を操作する。これにより、表示レイアウトが決定される。本実施形態においては、ダイアログ６０１をユーザに対して提示し、表示レイアウトをユーザに選択させているが、この方法は飽くまでも一例であって、この方法に限定されるものではない。
【００３１】
図２の説明に戻る。ステップＳ２０８において、表示処理部１０５は、決定した表示レイアウトが単画面表示であるか、複数画面表示であるかを判定する。表示レイアウトが単画面表示である場合、処理はステップＳ２０６に移行する。一方、表示レイアウトが複数画面表示である場合、処理はステップＳ２０９に移行する。なお、表示レイアウトが単画面表示である場合に移行するステップＳ２０６の説明は、上述した通りであるため、ここでは割愛する。
【００３２】
ステップＳ２０９において、表示処理部１０５は、投写領域特定部１０４にて特定された有効投写領域の表示倍率を、複数画面表示用のアスペクト比に応じて変更する。ステップＳ２１０において、表示処理部１０５は、ズーム投写モードを実行する。即ち、表示処理部１０５は、ステップＳ２０６又はＳ２０９にて変更した表示倍率に基づいて有効投写領域をズームし、スクリーン１０６に投写する。
【００３３】
ここで、図７及び図８を参照しながら、ステップＳ２０５〜Ｓ２１０までの処理について具体的に説明する。先ず、図７を参照しながら、有効投写領域が１つの領域である場合について説明する。
【００３４】
図７（ａ）は、情報処理装置１００の画面にて１つのウインドウが表示され、１つの有効投写領域が特定された場合、当該有効投写領域の表示倍率を単画面表示用のアスペクト比に応じて変更し、投写した状況を示している。図７（ａ）において、７０１ａは、図１における情報処理装置１００に相当するものである。７０２ａは、図１における投写装置１０１に相当するものである。７０３ａは、図１におけるスクリーン１０６に相当するものである。７０４ａは、図３におけるステップＳ３０１〜Ｓ３０４において一定時間内に画像データの動きが継続的に検出され、有効投写領域として特定された領域である。投写装置１０１は、有効投写領域を特定すると、有効投写領域の表示倍率をスクリーン７０３ａのアスペクト比に応じて変更し、ズーム投写を行う。
【００３５】
一方、図７（ｂ）は、情報処理装置１００の画面にて複数のウインドウがマルチ表示され、１つの有効投写領域が特定された場合、当該有効投写領域の表示倍率を複数画面表示用のアスペクト比に応じて変更し、投写した状況を示している。ここでは、情報処理装置１００の画面上に２つのウインドウをマルチ表示している場合を例に挙げて説明する。図７（ｂ）において、７０１ｂは、図１における情報処理装置１００に相当するものである。７０２ｂは、投写装置１０１に相当するものである。７０３ｂは、スクリーン１０６に相当するものである。７０４ｂは、図３におけるステップＳ３０１〜Ｓ３０４において一定時間内に画像データの動きが継続的に検出され、有効投写領域として特定された領域である。投写装置１０１は、有効投写領域を特定すると、有効投写領域の表示倍率をスクリーン７０３ｂのアスペクト比に応じて変更し、ズーム投写を行う。
【００３６】
次に、図８を参照しながら、有効投写領域が２つの領域以上である場合について説明する。図８（ａ）は、情報処理装置１００の画面にて複数のウインドウがマルチ表示され、２つの有効投写領域が特定された場合、当該２つの有効投写領域のうちの１つの有効投写領域の表示倍率を単画面表示用のアスペクト比に応じて変更し、投写した状況を示している。図８（ａ）において、８０１ａは、図１における情報処理装置１００に相当するものである。８０２ａは、投写装置１０１に相当するものである。８０３ａは、図１におけるスクリーン１０６に相当するものである。８０４ａ及び８０５ａは、図３におけるステップＳ３０１〜Ｓ３０４において一定時間内に画像データの動きが継続的に検出され、有効投写領域として特定された領域である。ここでは、８０４ａ、８０５ａの順に有効投写領域が特定されたものとする。
【００３７】
本実施形態では、複数の有効投写領域が特定され、且つユーザが表示レイアウトとして単画面表示を選択した場合、特定された日時が最新である有効投写領域を優先的にズーム投写するものとする。従って、スクリーン８０３ａ上には、日時が最新である有効投写領域８０５ａの表示倍率がスクリーン８０３ａのアスペクト比に応じて変更され、ズーム投写されることになる。なお、どの有効投写領域を優先して単画面表示するかに関しては、有効投写領域をサムネイル表示形式で一覧表示させ、ユーザに選択させてもよいし、プライオリティを予め付加しておき、それに従って自動的に決定するようにしてもよい。なお、どの有効投写領域を優先して単画面表示するかは、以上に説明した方法に限定されるものではない。
【００３８】
また、単画面表示と複数画面表示とをユーザが容易に切り替え可能となるよう、８０６ａに示すような切替ボタンを表示してもよい。なお、この切替ボタン８０６ａは投写装置１０１に搭載してもよく、切替ボタン８０６ａを搭載する態様は特に限定されるものではない。
【００３９】
図８（ｂ）は、情報処理装置１００の画面にて複数のウインドウがマルチ表示され、２つの有効投写領域が特定された場合、当該２つの有効投写領域の表示倍率を複数画面表示用のアスペクト比に応じて変更し、投写した状況を示している。図８（ｂ）において、８０１ｂは、図１における情報処理装置１００に相当するものである。８０２ｂは、図１における投写装置１０１に相当するものである。８０３ｂは、図１におけるスクリーン１０６に相当するものである。８０４ｂ及び８０５ｂは、図３におけるステップＳ３０１〜Ｓ３０４において一定時間内に画像データの動きが継続的に検出され、有効投写領域として特定された領域である。
【００４０】
上述のように、複数の有効投写領域が特定され、且つユーザが表示レイアウトとして複数画面表示を選択した場合、複数の有効投写領域をズーム投写する。従って、スクリーン８０３ａ上には、有効投写領域８０４ｂ及び８０５ｂの表示倍率がスクリーン８０３ａのアスペクト比に応じて変更され、マルチでズーム投写されることになる。
【００４１】
また、単画面表示と複数画面表示とをユーザが容易に切り替え可能となるよう、８０６ｂに示すような切替ボタンを表示してもよい。なお、この切替ボタン８０６ｂは投写装置１０１に搭載してもよく、切替ボタン８０６ｂを搭載する態様は特に限定されるものではない。
【００４２】
以上のように、本実施形態によれば、投写装置１０１は有効投写領域を自動解析し、有効投写領域を単画面表示用又は複数画面表示用のアスペクト比に応じて変更して、ズーム投写することが可能となる。
【００４３】
次に、本発明の第２の実施形態について説明する。以下では、第２の実施形態について第１の実施形態との差異を中心に説明する。
【００４４】
図９は、本発明の第２の実施形態に係る投写装置の機能的な構成を示す図である。以下、投写装置９０１の主要部についてのみ説明するが、これ以外の構成を備えていてもよい。なお、図９における９００〜９０６は、図１における１００〜１０６と同様の構成であるため、それらの説明は省略する。９０７は制御部であり、情報処理装置９００から後述するウインドウ情報を取得し、制御を行う。
【００４５】
図１０は、第２の実施形態に係る投写装置９０１の処理を示すフローチャートである。以下、図１０を参照しながら、第２の実施形態に係る投写装置９０１の処理について説明する。
【００４６】
ステップＳ１００１において、外部信号入力部９０２は、情報処理装置９９から画像データ及びカーソルの座標情報等の各種操作情報を受信する。ステップＳ１００２において、ズーム投写制御部９０３は、投写装置９０１の投写ボタンがＯＮであるかＯＦＦであるかを判定する。投写ボタンがＯＮである場合、処理はステップＳ１００３に移行する。一方、投写ボタンがＯＦＦである場合、処理はステップＳ１００８に移行する。
【００４７】
ステップＳ１００３において、投写領域特定部１０４は画像データの有効投写領域を特定する。本ステップの詳細は、図３を用いて説明した内容と同様であるため、説明は省略する。ステップＳ１００４において、表示処理部９０５は、有効投写領域決定フラグがＯＮであるかＯＦＦであるかを判定する。この有効投写領域決定フラグは、上述したステップＳ１００３、即ち、図３におけるステップＳ３０１〜Ｓ３０６と同様の処理により設定されるフラグである。有効投写領域決定フラグがＯＮである場合、処理はステップＳ１００５に移行する。一方、有効投写領域決定フラグがＯＦＦである場合、処理はステップＳ１００８に移行する。
【００４８】
ステップＳ１００８において、表示処理部９０５は通常投写モードを実行する。ステップＳ１００５において、制御部９０７は、情報処理装置９００からウインドウ情報を受信する。情報処理装置９００と制御部９０７間のウインドウ情報の伝送方法としては、例えばＶＥＳＡで規格化されているＤＤＣやＲＳ−２３２Ｃ等を使用してもよいし、又は、その他のシリアル通信若しくはパラレル通信を使用してもよい。
【００４９】
ここで、図１１を参照しながら、ステップＳ１００５において制御部９０７が受信するウインドウ情報について具体的に説明する。図１１は、ウインドウ情報の一例を示す図である。なお、図１１に示すウインドウ情報は飽くまでも一例であり、この態様に限定されるものではない。図１１において、行１１０１はリスト番号１のデータ、行１１０２はリスト番号２のデータを表す。列１１０３はウインドウの始点Ｘ座標ＷＸｓを表し、列１１０４はウインドウの始点Ｙ座標ＷＹｓを表す。列１１０５はウインドウの終点Ｘ座標ＷＸｅを表し、列１１０６はウインドウの終点Ｙ座標ＷＹｅを表す。図１１の例では、リストが２つ存在し、１つ目のリストは、始点座標が（Ｘｓ，Ｙｓ）＝（１５０，２００）、終点座標が（Ｘｅ，Ｙｅ）＝（５００，６００）である。一方、２つ目のリストは、始点座標が（Ｘｓ，Ｙｓ）＝（３００，３００）、終点座標が（Ｘｅ，Ｙｅ）＝（９００，８００）となる。
【００５０】
なお、制御部９０７におけるウインドウ情報の受信タイミングは、情報処理装置９００から適宜受信してもよいし、ウインドウ情報に変更があった場合にのみ情報処理装置９００から受信してもよい。なお、制御部９０７におけるウインドウ情報の受信タイミングは、上述したタイミングに限定されるものではない。
【００５１】
図１０の説明に戻る。ステップＳ１００６において、表示処理部９０５は、制御部９０７が受信したウインドウ情報に基づいて、ステップＳ１００３において特定された有効投写領域の表示倍率を、当該有効投写領域が対象のウインドウ内に収まるようなアスペクト比に変更する。
【００５２】
ステップＳ１００７において、表示処理部９０５は、ステップＳ１００６にて表示倍率が変更された有効投写領域を、対象のウインドウ内にズーム投写する。なお、情報処理装置１００の画面上に複数のウインドウが存在する場合、表示処理部９０５は、有効投写領域のリストとウインドウ情報とを比較し、有効投写領域が含まれるウインドウを検出する。そして、表示処理部９０５は、当該有効投写領域の表示倍率を、当該有効投写領域が当該ウインドウ内に収まるようなアスペクト比に変更し、当該ウインドウ内にズーム投写する。
【００５３】
ここで、図１２を参照しながら、ステップＳ１００５〜Ｓ１００７までの処理を具体的に説明する。図１２（ａ）は、情報処理装置１００の画面にて１つのウインドウが表示され、１つの有効投写領域が特定された場合における投写状況を示している。図１２（ａ）において、１２０１ａは、図９における情報処理装置９００に相当するものである。１２０２ａは、図９における投写装置９０１に相当するものである。１２０３ａは、図９におけるスクリーン９０６に相当するものである。１２０４ａは、ステップＳ１００３において一定時間内に画像データの動きが継続的に検出され、有効投写領域として特定された領域である。この有効投写領域１２０４ａが、１２０３ａに示すようにウインドウ内に収まるようなアスペクト比に変更され、ズーム投写される。
【００５４】
図１２（ｂ）は、情報処理装置１００の画面にて複数のウインドウが表示され、１つの有効投写領域が特定された場合における投写状況を示している。図１２（ｂ）において、１２０１ｂは、図９における情報処理装置９００に相当するものである。１２０２ｂは、図９における投写装置９０１に相当するものである。１２０３ｂは、図９におけるスクリーン９０６に相当するものである。１２０４ｂは、ステップＳ１００３にて一定時間内に画像データの動きが継続的に検出され、有効投写領域として特定された領域である。上述したように、情報処理装置１００の画面にて複数のウインドウが表示され、且つ１つの有効投写領域が特定された場合には、有効投写領域１２０４ｂは、当該有効投写領域１２０４ｂが含まれるウインドウ１２０５ｂ内にズーム投写される。
【００５５】
図１２（ｃ）は、情報処理装置１００の画面にて複数のウインドウが表示され、複数の有効投写領域が特定された場合における投写状況を示している。図１２（ｃ）において、１２０１ｃは、図９における情報処理装置９００に相当するものである。１２０２ｃは、図９における投写装置９０１に相当するものである。１２０３ｃは、図９におけるスクリーン９０６に相当するものである。１２０４ｃ及び１２０５ｃは、ステップＳ１００３にて一定時間内に画像データの動きが継続的に検出され、有効投写領域として特定された領域である。上述したように、情報処理装置１００の画面にて複数のウインドウが表示され、且つ複数の有効投写領域が特定された場合には、有効投写領域１２０４ｃは、当該有効投写領域１２０４ｃが含まれるウインドウ１２０６ｃ内においてズーム投写され、有効投写領域１２０５ｃは、当該有効投写領域１２０５ｃが含まれるウインドウ１２０７ｃ内においてズーム投写される。従って、情報処理装置１００の画面にて複数のウインドウが表示され、且つ複数の有効投写領域が特定された場合には、各有効投写領域はそれぞれのウインドウ内にてズーム投写される。
【００５６】
以上のように、本実施形態によれば、投写装置９０１は有効投写領域を自動解析し、有効投写領域を対象となるウインドウ内にズーム投写することが可能となる。
【００５７】
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【符号の説明】
【００５８】
１００、９００：情報処理装置、１０１、９０１：投写装置、１０２、９０２：外部信号入力部、１０３、９０３：ズーム投写制御部、１０４、９０４：投写領域特定部、１０５、９０５：表示処理部、１０６、９０６：スクリーン、９０７：制御部
【図１】
2012222565.tif 000003
【図２】
2012222565.tif 000004
【図３】
2012222565.tif 000005
【図４】
2012222565.tif 000006
【図５】
2012222565.tif 000007
【図６】
2012222565.tif 000008
【図７】
2012222565.tif 000009
【図８】
2012222565.tif 000010
【図９】
2012222565.tif 000011
【図１０】
2012222565.tif 000012
【図１１】
2012222565.tif 000013
【図１２】
2012222565.tif 000014